(57)【特許請求の範囲】
【請求項１】
情報の投稿、閲覧登録している投稿情報の閲覧および閲覧登録している投稿情報の再投稿が可能とされた通信サービスを提供するサーバとの通信を行う通信装置と、
この通信装置による前記サーバとの通信によって、前記サーバから前記閲覧登録している投稿情報を取得する投稿情報取得手段と、
この投稿情報取得手段によって取得された前記閲覧登録している投稿情報を、車載器の表示部に表示する投稿情報表示手段と
を備えた車載用通信サービス利用システムであって、
前記投稿情報取得手段によって取得される前記閲覧登録している投稿情報には、当該投稿情報の前記再投稿が行われた回数を示す再投稿回数情報が対応付けられており、
車載用通信サービス利用システム本体は、
前記投稿情報取得手段によって取得された前記閲覧登録している投稿情報の中から、前記再投稿が行われた回数がユーザーが決定した所定回数以上である特定の投稿情報を前記再投稿回数情報に基づいて抽出する特定投稿情報抽出手段と、
車速パルスに基づいて自車の停止状態を検知する検知手段と、
前記特定投稿情報抽出手段によって抽出された前記特定の投稿情報を、前記検知手段による停止状態の検知が行われている状態において、ユーザに限定的に通知する特定投稿情報通知手段と
を備えたことを特徴とする車載用通信サービス利用システム。
【請求項２】
前記特定投稿情報通知手段は、
前記投稿情報表示手段に対して前記特定の投稿情報に限定した前記閲覧登録している投稿情報の表示を行わせるための制御を行う投稿情報表示制御手段を備えたこと
を特徴とする請求項１に記載の車載用通信サービス利用システム。
【請求項３】
前記投稿情報表示制御手段は、前記特定の投稿情報を、前記通信サービス用のアプリケーション以外のアプリケーションの実行画面上にテロップとして１件ずつ順次表示させるように前記投稿情報表示手段を制御すること
を特徴とする請求項２に記載の車載用通信サービス利用システム。
【請求項４】
前記通信サービス用のアプリケーション以外のアプリケーションは、楽曲再生用のアプリケーションを含むこと
を特徴とする請求項３に記載の車載用通信サービス利用システム。
【請求項５】
前記投稿情報表示制御手段は、前記テロップを、選択可能な状態として表示させ、
前記特定投稿情報通知手段は、
前記テロップが選択された場合には、当該選択されたテロップに該当する前記特定の投稿情報に関する所定の情報をユーザに通知するための所定の処理を実行すること
を特徴とする請求項３または請求項４に記載の車載用通信サービス利用システム。
【請求項６】
前記所定の情報は、前記選択されたテロップに該当する特定の投稿情報に対応付けて前記サーバから取得された当該投稿情報に対する返信情報であり、
前記所定の処理は、前記返信情報を前記車載器の表示部に表示する処理であること
を特徴とする請求項５に記載の車載用通信サービス利用システム。
【請求項７】
前記閲覧登録している投稿情報をリストに登録するリスト登録装置と、
前記リストを、これに登録されている前記閲覧登録している投稿情報の選択が可能な状態で表示するリスト表示装置と
を備え、
前記投稿情報取得手段は、前記リスト表示装置によって表示された前記リストの中から選択された前記閲覧登録している投稿情報を前記サーバから取得すること
を特徴とする請求項１乃至請求項６のいずれか１項に記載の車載用通信サービス利用システム。
【請求項８】
前記通信装置および前記リスト登録装置は、前記車載器に接続された携帯端末に備えられていること
を特徴とする請求項７に記載の車載用通信サービス利用システム。
【請求項９】
前記通信サービスは、ツイッターであり、
前記再投稿回数情報は、リツイート数情報であること
を特徴とする請求項１乃至請求項８のいずれか１項に記載の車載用通信サービス利用システム。
【請求項１０】
情報の投稿、閲覧登録している投稿情報の閲覧および閲覧登録している投稿情報の再投稿が可能とされた通信サービスを車載器において利用するための車載用通信サービス利用方法であって、
前記通信サービスを提供するサーバとの通信によって、前記サーバから前記閲覧登録している投稿情報を取得する第１のステップと、
この第１のステップにおいて取得された前記閲覧登録している投稿情報の中から、当該投稿情報に対応付けられている当該投稿情報の前記再投稿が行われた回数を示す再投稿回数情報に基づいて、前記再投稿が行われた回数がユーザーが決定した所定回数以上である特定の投稿情報を抽出する第２のステップと、
この第２のステップにおいて抽出された前記特定の投稿情報を、車速パルスに基づいて自車の停止状態の検知が行われている状態において、ユーザに限定的に通知する第３のステップと
を含むことを特徴とする車載用通信サービス利用方法。
【請求項１１】
前記第３のステップは、
前記特定の投稿情報に限定した前記車載器の表示部への前記閲覧登録している投稿情報の表示を行うステップであること
を特徴とする請求項１０に記載の車載用通信サービス利用方法。
【請求項１２】
前記第３のステップは、前記特定の投稿情報を、前記通信サービス用のアプリケーション以外のアプリケーションの実行画面上にテロップとして１件ずつ順次表示するステップであること
を特徴とする請求項１１に記載の車載用通信サービス利用方法。
【請求項１３】
前記第３のステップは、前記テロップを、選択可能な状態として表示するステップであり、
前記テロップが選択された場合に、当該選択されたテロップに該当する前記特定の投稿情報に関する所定の情報をユーザに通知するための所定の処理を実行する第４のステップを含むこと
を特徴とする請求項１２に記載の車載用通信サービス利用方法。
【請求項１４】
前記閲覧登録している投稿情報をリストに登録する第５のステップと、
前記リストを、これに登録されている前記閲覧登録している投稿情報の選択が可能な状態で表示する第６のステップと
を含み、
前記第１のステップは、前記第６のステップにおいて表示された前記リストの中から選択された前記閲覧登録している投稿情報を前記サーバから取得するステップであること
を特徴とする請求項１０乃至請求項１３のいずれか１項に記載の車載用通信サービス利用方法。
【発明の詳細な説明】
【技術分野】
【０００１】
本発明は、車載用通信サービス利用システムおよび車載用通信サービス利用方法に係り、特に、車載器におけるＳＮＳ（social network service）の利用に好適な車載用通信サービス利用システムおよび車載用通信サービス利用方法に関する。
【背景技術】
【０００２】
従来から、車載器においては、インターネットを介してサーバや他のユーザ端末との間でのデータ通信を行うことが可能とされていた。
【０００３】
例えば、特許文献１においては、車載器（ナビゲーション装置）と施設情報管理サーバとの間でのインターネットを介した通信によって、施設情報管理サーバから車載器に対して、ナビゲーションの目的地に設定された回数が多い施設の情報を提供する技術が開示されている。
【０００４】
また、特許文献２においては、ユーザ端末から車載器に送信される電子メールに、優先度の高低を示す優先度情報を付加しておき、車載器側で、着信した電子メールのうちの優先度情報が示す優先度が高い電子メールに限定した着信の報知を行う技術が開示されている。
【先行技術文献】
【特許文献】
【０００５】
【特許文献１】特開２００８−１４６６９号公報
【特許文献２】特開２００８−２９９５２８号公報
【発明の概要】
【発明が解決しようとする課題】
【０００６】
ところで、全世界で使用されている標準ＳＮＳの１つに、個々のユーザがツイート(tweet)（登録商標）と称される短文を投稿、閲覧することができる通信サービスであるツイッター(Twitter)がある。
【０００７】
そして、現在、このツイッターを車載器において利用したいというニーズが高まっており、このようなニーズに応えるための最適なソリューションの提供が喫緊の課題となっている。
【０００８】
しかるに、特に１ＤＩＮ(Deutsche Industrie Normen)のヘッドユニット等の表示部のサイズが小さい車載器においては、投稿されたツイートのすべてを表示しても、それらを閲覧し切ることは勿論のこと、ユーザにとって重要なツイートのみを選別することは極めて困難であり、また、安全運転に支障を来たす虞もある。
【０００９】
したがって、車載器での利用に適合させるためには、閲覧に煩雑さを感じさせず、なおかつ、ユーザにとって重要とみなすことができるような投稿情報を整理してユーザに通知することが重要であると言える。
【００１０】
そこで、本発明は、このような点に鑑みなされたものであり、ユーザに通知すべき投稿情報を有用な情報に限定することによって、車載器におけるＳＮＳの利用の効率性および安全性を向上させることができる車載用通信サービス利用システムおよび車載用通信サービス利用方法を提供することを目的とするものである。
【課題を解決するための手段】
【００１１】
前述した目的を達成するため、本発明に係る車載用通信サービス利用システムは、情報の投稿、閲覧登録している投稿情報の閲覧および閲覧登録している投稿情報の再投稿が可能とされた通信サービスを提供するサーバとの通信を行う通信装置と、この通信装置による前記サーバとの通信によって、前記サーバから前記閲覧登録している投稿情報を取得する投稿情報取得手段と、この投稿情報取得手段によって取得された前記閲覧登録している投稿情報を、車載器の表示部に表示する投稿情報表示手段とを備えた車載用通信サービス利用システムであって、前記投稿情報取得手段によって取得される前記閲覧登録している投稿情報には、当該投稿情報の前記再投稿が行われた回数を示す再投稿回数情報が対応付けられており、車載用通信サービス利用システム本体は、前記投稿情報取得手段によって取得された前記閲覧登録している投稿情報の中から、前記再投稿が行われた回数がユーザーが決定した所定回数以上である特定の投稿情報を前記再投稿回数情報に基づいて抽出する特定投稿情報抽出手段と、車速パルスに基づいて自車の停止状態を検知する検知手段と、前記特定投稿情報抽出手段によって抽出された前記特定の投稿情報を、前記検知手段による停止状態の検知が行われている状態において、ユーザに限定的に通知する特定投稿情報通知手段とを備えたことを特徴としている。
【００１２】
また、本発明に係る車載用通信サービス利用方法は、情報の投稿、閲覧登録している投稿情報の閲覧および閲覧登録している投稿情報の再投稿が可能とされた通信サービスを車載器において利用するための車載用通信サービス利用方法であって、前記通信サービスを提供するサーバとの通信によって、前記サーバから前記閲覧登録している投稿情報を取得する第１のステップと、この第１のステップにおいて取得された前記閲覧登録している投稿情報の中から、当該投稿情報に対応付けられている当該投稿情報の前記再投稿が行われた回数を示す再投稿回数情報に基づいて、前記再投稿が行われた回数がユーザーが決定した所定回数以上である特定の投稿情報を抽出する第２のステップと、この第２のステップにおいて抽出された前記特定の投稿情報を、車速パルスに基づいて自車の停止状態の検知が行われている状態において、ユーザに限定的に通知する第３のステップとを含むことを特徴としている。
【００１３】
そして、このような本発明によれば、サーバから取得された閲覧登録している投稿情報のうちの再投稿が行われた回数がユーザーが決定した所定回数以上である特定の投稿情報に限定したユーザへの通知を車速パルスに基づいて自車の停止状態の検知が行われている状態において行うことができるので、ユーザに通知すべき投稿情報を有用な情報に絞り込むことができるとともに自車の停止状態の検知が行われている状態において通知を行うことができ、ひいては、車載器における通信サービスの利用の効率性および安全性を向上させることができる。
【００１４】
さらに、本発明の車載用通信サービス利用システムにおいて、前記特定投稿情報通知手段は、前記投稿情報表示手段に対して前記特定の投稿情報に限定した前記閲覧登録している投稿情報の表示を行わせるための制御を行う投稿情報表示制御手段を備えてもよい。同様に、本発明の車載用通信サービス利用方法において、前記第３のステップは、前記特定の投稿情報に限定した前記車載器の表示部への前記閲覧登録している投稿情報の表示を行うステップであってもよい。
【００１５】
そして、このような本発明によれば、特定の投稿情報に限定した車載器の表示部への表示を行うことができるので、車載器の表示部に表示すべき投稿情報を有用な情報に絞り込むことができる。
【００１６】
さらにまた、本発明の車載用通信サービス利用システムにおいて、前記投稿情報表示制御手段は、前記特定の投稿情報を、前記通信サービス用のアプリケーション以外のアプリケーションの実行画面上にテロップとして１件ずつ順次表示させるように前記投稿情報表示手段を制御してもよい。同様に、本発明の車載用通信サービス利用方法において、前記第３のステップは、前記特定の投稿情報を、前記通信サービス用のアプリケーション以外のアプリケーションの実行画面上にテロップとして１件ずつ順次表示するステップであってもよい。
【００１７】
そして、このような本発明によれば、特定の投稿情報の限定表示を、表示スペースを大きくとらないテロップの順次表示によって実現することにより、通信サービスを他のアプリケーションの利用時においても有効に利用することができる。また、特定の投稿情報の表示の切り替え等の煩雑な操作負担をともなわないので、利便性および安全性をさらに向上させることができる。
【００１８】
また、本発明の車載用通信サービス利用システムにおいて、前記通信サービス用のアプリケーション以外のアプリケーションは、楽曲再生用のアプリケーションを含んでもよい。
【００１９】
そして、このような構成によれば、通信サービスを楽曲を視聴しながら利用することができる。
【００２０】
さらに、本発明の車載用通信サービス利用システムにおいて、前記投稿情報表示制御手段は、前記テロップを、選択可能な状態として表示させ、前記特定投稿情報通知手段は、前記テロップが選択された場合には、当該選択されたテロップに該当する前記特定の投稿情報に関する所定の情報をユーザに通知するための所定の処理を実行してもよい。同様に、本発明の車載用通信サービス利用方法において、前記第３のステップは、前記テロップを、選択可能な状態として表示するステップであり、前記テロップが選択された場合に、当該選択されたテロップに該当する前記特定の投稿情報に関する所定の情報をユーザに通知するための所定の処理を実行する第４のステップを含んでもよい。
【００２１】
そして、このような本発明によれば、ユーザが特に興味を持った特定の投稿情報については、当該投稿情報に関する所定の情報をユーザに通知することができるので、利便性をさらに向上させることができる。
【００２２】
さらにまた、本発明の車載用通信サービス利用システムにおいて、前記所定の情報は、前記選択されたテロップに該当する特定の投稿情報に対応付けて前記サーバから取得された当該投稿情報に対する返信情報であり、前記所定の処理は、前記返信情報を前記車載器の表示部に表示する処理であってもよい。
【００２３】
そして、このような構成によれば、ユーザが特に興味を持った特定の投稿情報に対する返信情報を表示することができるので、利便性を向上させることができる。
【００２４】
また、本発明の車載用通信サービス利用システムにおいて、前記閲覧登録している投稿情報をリストに登録するリスト登録装置と、前記リストを、これに登録されている前記閲覧登録している投稿情報の選択が可能な状態で表示するリスト表示装置とを備え、前記投稿情報取得手段は、前記リスト表示装置によって表示された前記リストの中から選択された前記閲覧登録している投稿情報を前記サーバから取得してもよい。同様に、本発明の車載用通信サービス利用方法において、前記閲覧登録している投稿情報をリストに登録する第５のステップと、前記リストを、これに登録されている前記閲覧登録している投稿情報の選択が可能な状態で表示する第６のステップとを含み、前記第１のステップは、前記第６のステップにおいて表示された前記リストの中から選択された前記閲覧登録している投稿情報を前記サーバから取得するステップであってもよい。
【００２５】
そして、このような本発明によれば、閲覧登録している投稿情報をリストの中から絞り込むことができるので、ユーザの嗜好性を反映したより有用性が高い特定の投稿情報をユーザに通知することができる。
【００２６】
さらに、本発明の車載用通信サービス利用システムにおいて、前記通信装置および前記リスト登録装置は、前記車載器に接続された携帯端末に備えられていてもよい。
【００２７】
そして、このような構成によれば、携帯端末における登録情報を車載器における通信サービスの利用に活用することができる。
【００２８】
さらにまた、本発明の車載用通信サービス利用システムにおいて、前記通信サービスは、ツイッターであり、前記再投稿回数情報は、リツイート数情報であってもよい。
【００２９】
そして、このような構成によれば、車載器においてツイッターを効率的かつ安全に利用することができる。
【発明の効果】
【００３０】
本発明によれば、ユーザに通知すべき投稿情報を有用な情報に限定することによって、車載器におけるＳＮＳの利用の効率性および安全性を向上させることができる。
【図面の簡単な説明】
【００３１】
【図１】本発明に係る車載用通信サービス利用システムの第１実施形態を示す概要図
【図２】車載用通信サービス利用システムの第１実施形態を示すブロック図
【図３】車載用通信サービス利用システムの第１実施形態において、再投稿回数情報を示す概念図
【図４】本発明に係る車載用通信サービス利用方法の第１実施形態を示すフローチャート
【図５】本発明に係る車載用通信サービス利用システムの第２実施形態を示すブロック図
【図６】車載用通信サービス利用システムの第２実施形態において、動作例を示す工程図
【図７】本発明に係る車載用通信サービス利用方法の第２実施形態を示すフローチャート
【発明を実施するための形態】
【００３２】
（第１実施形態）
＜車載用通信サービス利用システム＞
以下、本発明に係る車載用通信サービス利用システムの第１実施形態について、図１乃至図３を参照して説明する。
【００３３】
図１は、本発明に係る車載用通信サービス利用システム１の概要を示したものである。
【００３４】
図１に示すように、本実施形態における車載用通信サービス利用システム１は、車載器（ヘッドユニット）２と、この車載器２に有線（ＵＳＢ等）または無線（bluetooth等）によってデータ通信が可能に接続された携帯端末３とによって構成されている。携帯端末３としては、スマートフォン等のＳＮＳの利用および車載器２との接続に対応した種々の携帯端末を適用することができる。
【００３５】
本実施形態における車載用通信サービス利用システム１は、携帯端末３の通信機能によって、ＳＮＳを提供するＳＮＳサーバ４との間でインターネット網５を介した通信を行うことにより、ＳＮＳサーバ４からのＳＮＳの提供を受けることが可能とされている。ＳＮＳとしては、例えば、前述したツイッターを挙げることができる。
【００３６】
このようなＳＮＳによって車載用通信サービス利用システム１に付与される機能は種々あるが、特に本実施形態との関連性が強いものとしては、以下の３つを挙げることができる。
（１）車載用通信サービス利用システム１を介してＳＮＳを利用するユーザ（以下、本機ユーザと称する）による情報の投稿
（２）本機ユーザによる当該本機ユーザが閲覧登録している他のユーザ（以下、閲覧先ユーザと称する）の投稿情報の閲覧
（３）本機ユーザによる閲覧先ユーザの投稿情報の再投稿、換言すれば、本機ユーザの投稿情報を閲覧登録している他のユーザ（以下、被閲覧先ユーザと称する）への閲覧先ユーザの投稿情報の拡散
【００３７】
ここで、（１）は、ＳＮＳがツイッターの場合には、ツイートの投稿にあたる。また、（２）、（３）における閲覧登録は、ツイッターの場合には、フォロー(follow)にあたる。なお、（２）、（３）における閲覧先ユーザの投稿情報には、閲覧先ユーザ自身のツイートだけでなく、閲覧先ユーザがリツイート(retweet)した閲覧先ユーザがフォローしているユーザのツイートが含まれていてもよい。さらに、（３）における再投稿は、ツイッターの場合には、リツイートにあたる。リツイートにおいては、本機ユーザの投稿情報上すなわちタイムライン(timeline)上に、リツイート対象となる閲覧先ユーザのツイートが掲載されることになる。そして、同時に、当該閲覧先ユーザのツイートは、本機ユーザをフォローしているフォロワー（被閲覧先ユーザ）のタイムライン上にも掲載されるため、閲覧先ユーザのツイートがフォロー関係を介して被閲覧先ユーザに拡散することになる。なお、図１には、車載用通信サービス利用システム１と同様に、インターネット網５を介してＳＮＳサーバ４に接続可能とされた本機ユーザ以外の複数のユーザ（閲覧先ユーザおよび被閲覧先ユーザを含む）の端末７が例示されているが、各端末７は、移動体端末であってもよいし、または、固定端末であってもよい。また、（１）〜（３）においては、本機ユーザが主体となっているが、本機ユーザ以外の各ユーザの端末７ごとに、各端末７のユーザがそれぞれ主体となって、（１）〜（３）と同様の機能を利用することができる。
【００３８】
なお、ＳＮＳを実現するためには、ＳＮＳサーバ４が、各ユーザ端末にＳＮＳを提供するためのアプリケーションを保有するとともに、このアプリケーションを実行するための演算処理装置（ＣＰＵやＭＰＵ等）や記憶装置等のハードウェアを備えている必要があることは勿論のこと、車載用通信サービス利用システム１側でも、ＳＮＳを利用するためのアプリケーション（以下、ＳＮＳアプリと称する）を演算処理装置や記憶装置等のハードウェアによって実行できるように構成されている必要がある。このＳＮＳアプリは、車載用通信サービス利用システム１の記憶装置に保有されているＷｅｂブラウザを介してＳＮＳサーバ４から提供されるＷｅｂアプリケーションであってもよいし、車載用通信サービス利用システム１の記憶装置に保有されているＳＮＳ専用のアプリケーション（いわゆるクライアントソフト）であってもよい。
【００３９】
また、車載用通信サービス利用システム１においてＳＮＳを利用する際には、まず、本機ユーザの入力操作に応じて車載用通信サービス利用システム１の演算処理装置がＳＮＳアプリを実行することにより、ＳＮＳサーバ４に対してユーザ登録（アカウント作成）用のページを通じてユーザ登録を行う。ユーザ登録は、本機ユーザの名前、パスワード、メールアドレス等を入力することによって行うようにしてもよい。また、ユーザ登録情報は、ＳＮＳサーバ４の記憶装置に、車載用通信サービス利用システム１から送信された端末識別情報と対応付けて記憶されるようにしてもよい。ユーザ登録が完了すると、ＳＮＳサーバ４は、車載用通信サービス利用システム１に対して、前述した（１）〜（３）をはじめとした各種の内容のサービスの利用を許可する。ここで、（１）に示した情報の投稿は、車載用通信サービス利用システム１の表示部に、投稿欄（テキストボックス等）を備えた本機ユーザのページを表示させた上で、投稿欄への本機ユーザの文字入力操作に応じて行われるようにしてもよい。本機ユーザによる投稿情報は、ＳＮＳサーバ４の記憶装置に、本機ユーザの端末識別情報に紐付けて記憶されるようにしてもよい。また、（２）に示した閲覧先ユーザの投稿情報の閲覧は、本機ユーザがＳＮＳサーバ４に対して閲覧先ユーザを指定した閲覧登録を行ったことを契機として許可される。閲覧登録の結果は、ＳＮＳサーバ４の記憶装置に、本機ユーザの端末識別情報および閲覧先ユーザの端末識別情報に紐付けて記憶させるようにしてもよい。また、この閲覧登録は、例えば、本機ユーザがＳＮＳアプリを介して閲覧先ユーザのリンク／ＵＲＬを指定したことに応じて、ＳＮＳサーバ４が、車載用通信サービス利用システム１に、閲覧登録ボタンを備えた当該閲覧先ユーザのページを提供した上で、当該閲覧登録ボタンが本機ユーザによって操作されたことを契機として行うようにしてもよい。閲覧登録が行われた場合には、ＳＮＳサーバ４によって、本機ユーザのページ上に、閲覧先ユーザの投稿情報が掲載されることになる。さらに、（３）に示した閲覧先ユーザの投稿情報の再投稿は、ＳＮＳサーバ４に対して、本機ユーザによる閲覧先ユーザの所望の投稿情報を指定した再投稿の要求が送信されたことを契機として行われるようにしてもよい。再投稿の要求の送信結果は、ＳＮＳサーバ４の記憶装置に、本機ユーザ、閲覧先ユーザおよび被閲覧先ユーザのそれぞれの端末識別情報と紐付けて記憶させるようにしてもよい。そして、このような再投稿の要求に応じて、ＳＮＳサーバ４は、本機ユーザのページ上および被閲覧先ユーザのページ上に、閲覧先ユーザの投稿情報を掲載することによって、閲覧先ユーザの投稿情報を被閲覧先ユーザに拡散させる。
【００４０】
次に、図２は、車載用通信サービス利用システム１の詳細な構成を示すブロック図である。
【００４１】
図２に示すように、車載用通信サービス利用システム１は、通信装置としての通信部１０を有しており、この通信部１０によって、車載用通信サービス利用システム１とＳＮＳサーバ４との間でのインターネット網５を通じた通信を行うことができるようになっている。この通信部１０は、携帯端末３の通信モジュールによって構成すればよい。
【００４２】
また、図２に示すように、車載用通信サービス利用システム１は、投稿情報取得手段としての投稿情報取得部１１を有している。この投稿情報取得部１１は、ＳＮＳアプリの実行によって機能を発揮し、通信部１０の通信を介して、ＳＮＳサーバ４から閲覧先ユーザの投稿情報を取得するようになっている。具体的には、投稿情報取得部１１は、例えば、入力操作部９を用いた本機ユーザの入力操作に応じてＳＮＳアプリが起動されたことを契機として、ＳＮＳサーバ４に対して、本機ユーザが閲覧登録している閲覧先ユーザの投稿情報についての予め取得されたアドレス（ＵＲＬ等）を自動的に指定することによって、閲覧先ユーザの投稿情報の要求を行うようにしてもよい。そして、ＳＮＳサーバ４は、この要求に応答して、指定された閲覧先ユーザの投稿情報をＳＮＳサーバ４の記憶装置から読み出し、これをインターネット網５を介して車載用通信サービス利用システム１に送信するようにしてもよい。この投稿情報取得部１１は、ＳＮＳアプリを実行する演算処理装置、閲覧先ユーザの投稿情報のアドレスを記憶する記憶装置、ＳＮＳサーバ４から取得した閲覧先ユーザの投稿情報を保持する記憶装置等によって構成してもよい。また、投稿情報取得部１１は、車載器２に配設してもよいし、または、通信部１０とともに携帯端末３に配設してもよい。
【００４３】
さらに、図２に示すように、車載用通信サービス利用システム１は、投稿情報表示手段としての投稿情報表示処理部１２を有している。この投稿情報表示処理部１２は、ＳＮＳアプリの実行によって基本的な機能を発揮するようになっている。すなわち、投稿情報表示処理部１２には、投稿情報取得部１１によって、ＳＮＳサーバ４から取得した閲覧先ユーザの投稿情報が入力されるようになっている。そして、投稿情報表示処理部１２は、入力された閲覧先ユーザの投稿情報を、車載器２の表示部２ａに表示するようになっている。この投稿情報表示処理部１２は、投稿情報取得部１１を構成する演算処理装置と同一または異なる演算処理装置によって構成してもよい。また、この投稿情報表示処理部１２は、車載器２および携帯端末３のいずれに配設してもよい。ただし、投稿情報表示処理部１２を携帯端末３に配設する場合においても、車載器２には、投稿情報表示処理部１２から入力された閲覧先ユーザの投稿情報の描画データを表示部２ａに表示するためのグラフィックエンジンを備えることは必要である。
【００４４】
このような構成に加えて、更に、本実施形態においては、本機ユーザに通知される閲覧先ユーザの投稿情報を有用な情報のみに限定するための手段が講じられている。
【００４５】
すなわち、本実施形態において、ＳＮＳサーバ４から車載用通信サービス利用システム１に送信される閲覧先ユーザの投稿情報には、図３に示すように、当該投稿情報の再投稿が行われた回数を示す再投稿回数情報が対応付けられている。この再投稿回数情報は、ＳＮＳサーバ４が、その記憶装置に管理している各投稿情報ごとに、再投稿が行われる度に、投稿情報に対応付けて記憶装置に記憶させた再投稿回数値をインクリメントすることによって作成・更新するようにしてもよい。なお、再投稿回数情報は、ツイッターの場合には、公式リツイート回数情報にあたる。
【００４６】
また、図２に戻って、車載用通信サービス利用システム１は、特定投稿情報抽出手段としての特定投稿情報抽出部１４を有している。この特定投稿情報抽出部１４は、投稿情報取得部１１によって閲覧先ユーザの投稿情報が取得されたことを投稿情報取得部１１からの当該投稿情報の入力等によって検知すると、当該閲覧先ユーザの中から、再投稿が行われた回数が所定回数以上である特定の投稿情報（以下、多数回再投稿情報と称する）を抽出するようになっている。この多数回再投稿情報の抽出は、各投稿情報に対応付けられた再投稿回数情報に基づいて行う。ここで、多数回再投稿情報は、これを閲覧登録している多数のユーザによって面白いあるいは役立つと評価された投稿情報であるので、これは本機ユーザにとっても有用な情報とみなすことができる。このような多数回再投稿情報の条件である所定回数は、１００回であってもよい。また、所定回数は、固定値であってもよいし、ユーザが設定可能な可変値であってもよい。さらに、多数回再投稿情報の抽出結果は、多数回再投稿情報に対応付けて多数回再投稿情報である旨を示すフラグを記憶装置にセットすることによって保持してもよい。この特定投稿情報抽出部１４は、これの機能を実現するためのアプリケーションを実行する演算処理装置によって構成してもよい。このアプリケーションは、ＳＮＳアプリに連動するように車載用通信サービス利用システム１の記憶装置に記憶させておくようにしてもよい。また、特定投稿情報抽出部１４は、車載器２および携帯端末３のいずれに配設してもよい。
【００４７】
さらに、図２に示すように、車載用通信サービス利用システム１は、特定投稿情報通知手段としての特定投稿情報通知部１５を有している。この特定投稿情報通知部１５は、特定投稿情報抽出部１４によって多数回再投稿情報が抽出されたことを特定投稿情報抽出部１４からのその旨の通知等によって検知すると、当該抽出された多数回再投稿情報を本機ユーザに限定的に通知するようになっている。
【００４８】
より具体的には、図２に示すように、特定投稿情報通知部１５は、投稿情報表示制御手段としての投稿情報表示制御部１５１を有している。この投稿情報表示制御部１５１は、投稿情報表示処理部１２に対して、特定投稿情報抽出部１４によって抽出された多数回再投稿情報に限定した閲覧先ユーザの投稿情報の表示を行わせるための制御を行うようになっている。このような投稿情報表示制御部１５１を備えた特定投稿情報通知部１５は、これの機能を実現するためのアプリケーションを実行する演算処理装置によって構成してもよい。このアプリケーションは、ＳＮＳアプリに連動するように車載用通信サービス利用システム１の記憶装置に記憶させておくようにしてもよい。また、特定投稿情報通知部１５は、車載器２および携帯端末３のいずれに配設してもよい。
【００４９】
なお、投稿情報表示制御部１５１は、多数回再投稿情報が複数件存在する場合には、各多数回再投稿情報を、所定の順番（例えば、投稿日時の新しい順や再投稿回数が多い順）にしたがって１件ずつ自動的に順次表示させるようにしてもよい。この場合には、各多数回再投稿情報の表示の所要時間は、コンセプトに応じて適宜設定することができる。また、各多数回再投稿情報（横書き）は、表示部２ａのサイズが制約されていることを考慮して、横移動表示または縦移動表示することが望ましい。
【００５０】
また、特定投稿情報通知部１５は、多数回再投稿情報を表示とともに音声読み上げによって本機ユーザに通知してもよい。音声読み上げには、公知のＴＴＳ(text-to-speech)技術を適用してもよい。
【００５１】
＜車載用通信サービス利用方法＞
次に、前述した車載用通信サービス利用システム１を適用した本発明に係る車載用通信サービス利用方法の第１実施形態について、図４を参照して説明する。
【００５２】
本実施形態においては、まず、図４のステップ１（ＳＴ１）において、入力操作部９の操作によるＳＮＳアプリの起動を契機として、投稿情報取得部１１により、ＳＮＳサーバ４に対して、予め取得されている閲覧先ユーザの投稿情報のアドレスを指定した当該投稿情報の要求を行う。
【００５３】
次いで、ステップ２（ＳＴ２）において、特定投稿情報抽出部１４により、ステップ１（ＳＴ１）における要求に応答したＳＮＳサーバ４からの閲覧先ユーザの投稿情報の提供があったか否かを判定する。そして、ステップ２（ＳＴ２）において肯定的な判定結果が得られた場合には、ステップ３（ＳＴ３）に進み、否定的な判定結果が得られた場合には、ステップ２（ＳＴ２）を繰り返す。
【００５４】
次いで、ステップ３（ＳＴ３）において、特定投稿情報抽出部１４により、ＳＮＳサーバ４から提供された閲覧先ユーザの投稿情報に対応付けられた再投稿回数情報に基づいて、多数回再投稿情報の抽出を行う。
【００５５】
次いで、ステップ４（ＳＴ４）において、投稿情報表示制御部１５１により、ステップ３（ＳＴ３）において抽出された多数回再投稿情報が１件以上存在するか否かを判定する。そして、ステップ４（ＳＴ４）において肯定的な判定結果が得られた場合には、ステップ５（ＳＴ５）に進み、否定的な判定結果が得られた場合には、処理を終了する。
【００５６】
ここで、処理を終了する場合には、多数回再投稿情報が存在しない旨のメッセージを表示部２ａに表示するようにしてもよいし、または、多数回再投稿情報の条件（所定回数）に対して再投稿回数が最も近い閲覧先ユーザの投稿情報を代替的に表示部２ａに表示してもよい。
【００５７】
次いで、ステップ５（ＳＴ５）において、投稿情報表示制御部１５１の制御の下で、投稿情報表示処理部１２により、ステップ３（ＳＴ３）において抽出された多数回再投稿情報に限定した車載器２の表示部２ａへの閲覧先ユーザの投稿情報の表示を行って処理を終了する。このステップ５（ＳＴ５）の処理は、多数回再投稿情報の音声読み上げをともなってもよい。
【００５８】
以上述べたように、本実施形態によれば、ＳＮＳサーバ４から取得された閲覧先ユーザの投稿情報のうちの多数回再投稿情報に限定した本機ユーザへの通知を行うことができるので、本機ユーザに通知すべき投稿情報を有用な情報に絞り込むことができ、ひいては、車載器２におけるＳＮＳの利用の効率性および安全性を向上させることができる。
【００５９】
（第２実施形態）
＜車載用通信サービス利用システム＞
次に、本発明に係る車載用通信サービス利用システムの第２実施形態について、第１実施形態との差異を中心に、図５および図６を参照して説明する。
【００６０】
図５に示すように、本実施形態における車載用通信サービス利用システム１は、第１実施形態と同様の構成部を備えた上で、更に、本実施形態に特有の構成部として、リスト登録装置としてのリスト登録部１６と、リスト表示装置としてのリスト表示処理部１７とを備えている。
【００６１】
リスト登録部１６は、閲覧先ユーザの投稿情報をリストに登録するようになっている。ここで、リストは、車載用通信サービス利用システム１の記憶装置に記憶させればよい。また、閲覧先ユーザの投稿情報のリストへの登録は、例えば、ＳＮＳアプリが、閲覧先ユーザの投稿情報のページを表示する際に、リスト登録ボタンを併せて表示し、このリスト登録ボタンが入力操作部９によって操作されたことを契機として行うようにしてもよい。このとき、当該リストへの登録は、閲覧先ユーザの投稿情報のアドレスの登録として行うようにしてもよい。また、当該リストへの登録は、投稿情報に対応付けられたグループ名や本機ユーザが任意に入力した文字列からなるリスト名を付与して行うようにしてもよい。
【００６２】
また、リスト表示処理部１７は、入力操作部９の操作によってＳＮＳアプリが起動されたことを契機として、リスト登録部１６によって作成されたリストを、これに登録されている閲覧先ユーザの投稿情報の入力操作部９による選択が可能な状態として、車載用通信サービス利用システム１の表示部に表示するようになっている。このとき、リスト表示処理部１７は、リスト登録部１６およびリスト表示処理部１７が車載器２に配設されているのであれば、リストを、車載器２の表示部２ａのみに表示すればよい。一方、リスト表示処理部１７は、リスト登録部１６が携帯端末３に配設されているのであれば、リストを、携帯端末３の表示部および車載器２の表示部２ａの双方に表示してもよい。なお、リスト表示処理部１７がリスト登録部１６とともに携帯端末３に配設されている場合には、リスト表示処理部１７が車載器２側にリストの描画データを入力するように構成するとともに、車載器２のグラフィックエンジンが、当該入力された描画データに基づいて車載器２の表示部２ａにリストを表示するように構成すればよい。
【００６３】
このようなリスト登録部１６およびリスト表示処理部１７は、ＳＮＳアプリを実行する演算処理装置によって構成してもよい。
【００６４】
そして、本実施形態において、投稿情報取得部１１は、リスト表示処理部１７によって表示されたリストの中から入力操作部９の操作によって選択された閲覧先ユーザの投稿情報を、ＳＮＳサーバ４から取得するようになっている。このとき、携帯端末３の画面および車載器２のタッチパネル画面（表示部２ａ）の双方にリストを表示し、投稿情報取得部１１を携帯端末３に配設し、入力操作部９を車載器２のタッチパネルとする場合には、投稿情報取得部１１は、予め取得された車載器２と携帯端末３との画面座標の対応関係に基づいて、入力操作部９の操作によって指定されたリストを携帯端末３側で割り出すようにすればよい。
【００６５】
上記構成に加えて、さらに、本実施形態において、車載用通信サービス利用システム１は、図５に示すように、車載アプリ実行部１８を有している。この車載アプリ実行部１８は、入力操作部９の操作に応じて、車載用通信サービス利用システム１の記憶装置に保有されているＳＮＳアプリ以外の車載アプリケーション（以下、車載アプリと称する）を実行し、その実行画面を車載器２の表示部２ａに表示するようになっている。車載アプリ実行部１８は、車載アプリを実行する演算処理装置によって構成してもよい。また、車載アプリ実行部１８は、楽曲再生用のアプリケーションであってもよい。さらに、車載アプリ実行部１８は、車載器２および携帯端末３のいずれに配設してもよい。ただし、車載アプリ実行部１８を携帯端末３に配設する場合においても、車載器２には、車載アプリ実行部１８から入力された車載アプリの実行画面の描画データを表示部２ａに表示するためのグラフィックエンジンを備えることは必要である。
【００６６】
そして、本実施形態において、投稿情報表示制御部１５１は、前述した投稿情報表示処理部１２に対する制御として、多数回再投稿情報を、車載アプリの実行画面上にテロップとして１件ずつ順次表示させるための制御を行うようになっている。なお、このような制御を行う際に、投稿情報表示制御部１５１は、必要であれば、車載アプリ実行部１８によって車載アプリが実行されていることを、車載アプリ実行部１８の動作状態を示す情報（フラグ等）に基づいて検知してもよい。
【００６７】
また、このような制御によって、投稿情報表示制御部１５１は、前記テロップを、入力操作部９によって選択可能な状態として表示させるようになっている。そして、特定投稿情報通知部１５は、前記テロップが選択された場合には、当該選択されたテロップに該当する多数回再投稿情報に関する所定の情報を本機ユーザに通知するための所定の処理を実行するようになっている。ここで、所定の情報は、投稿情報取得部１１によって多数回再投稿情報に対応付けてＳＮＳサーバ４から取得された多数回再投稿情報に対する返信情報（ツイッターの場合には、リプライ）であり、所定の処理は、当該返信情報を車載器２の表示部２ａに表示する処理であってもよい。このような返信情報の表示処理は、投稿情報表示制御部１５１による投稿情報表示処理部１２の制御によって実現してもよい。また、これに限らず、所定の処理は、返信情報を音声読み上げする処理であってもよい。さらに、これに限らず、特定投稿情報通知部１５は、選択されたテロップに該当する多数回再投稿情報に対する返信や再投稿を行うことができる画面を表示部２ａに表示してもよい。
【００６８】
ここで、図６は、本実施形態の動作例を画面遷移状態とともに示したものである。なお、図６の動作例においては、便宜上、入力操作部９および表示部２ａ以外の車載用通信サービス利用システム１の主要な構成部は携帯端末３に配設されており、携帯端末３側では、入力操作部９の操作信号（座標信号）に対応したＳＮＳアプリ／車載アプリの実行を行うように構成されているものとする。そして、携帯端末３は、これの表示部に表示すべき画像の描画データを生成した際に、これを車載器２に送信するように構成されているものとする。一方、車載器２側では、グラフィックエンジンの機能により、携帯端末３から送信された描画データに基づいて、携帯端末３側に表示される画像と同内容の画像を車載器２用に加工して表示部２ａに表示するように構成されているものとする。
【００６９】
また、図６の初期状態において、携帯端末３では、楽曲再生アプリが起動されていて、携帯端末３の表示部および車載器２の表示部２ａには、楽曲の再生画面が表示されているものとする。
【００７０】
そして、初期状態から、まず、図６のＳＴＥＰ１１において、入力操作部９の操作にともなって、リスト表示処理部１７により、携帯端末３の表示部に、閲覧先ユーザの投稿情報のリストを表示する。ここで、図６に示すように、リストには、閲覧先ユーザの投稿情報のアドレスが、グループ名としてのハッシュタグ（＃○○○等）に対応付けられた状態で登録されている。
【００７１】
次いで、ＳＴＥＰ１２において、車載器２のグラフィックエンジンの機能により、携帯端末３のリスト表示処理部１７から入力されたリストの描画データを加工（車載器２用に変換）することにより、車載器２用のリストを表示部２ａに表示する。ここで、図６に示すように、車載器２側で表示されるリストは、リスト項目（ハッシュタグ）ごとにチェックボックスが設けられていて、このチェックボックスに対して入力操作部９の操作によってチェックを入れることによって、リスト項目の選択が可能となっている。
【００７２】
次いで、ＳＴＥＰ１３において、入力操作部９により、リスト項目の選択を行うと、この結果が、車載器２から携帯端末３に送信される。
【００７３】
次いで、ＳＴＥＰ１４において、投稿情報取得部１１により、ＳＴＥＰ１３において送信されたリストの選択結果に該当する閲覧先ユーザの投稿情報を、各投稿情報にそれぞれ対応付けられた再投稿回数情報および返信情報とともにＳＮＳサーバ４から取得する。
【００７４】
次いで、ＳＴＥＰ１５において、特定投稿情報抽出部１４により、ＳＴＥＰ１４において取得された閲覧先ユーザの投稿情報の中から、再投稿回数情報に基づいて、多数回再投稿情報を抽出する。
【００７５】
次いで、ＳＴＥＰ１６において、携帯端末３側で、投稿情報表示制御部１５１による投稿情報表示処理部１２の制御により、多数回再投稿情報を、楽曲の再生画面上に、選択可能な状態のテロップとして１件ずつ順次表示させる。
【００７６】
次いで、ＳＴＥＰ１７において、車載器２のグラフィックエンジンの機能によって、ＳＴＥＰ１６における多数回再投稿情報のテロップ表示を、車載器２の表示部２ａ上に反映させる。なお、図６においては、テロップとして、多数回再投稿情報（ツイート）の本文と、リスト名としてのハッシュタグとが表示されている。この場合に、本文については、先頭から順に横移動表示し、リスト名については、次の投稿情報の順番になるまで固定表示するようにしてもよい。
【００７７】
そして、ＳＴＥＰ１７において表示されたテロップが、入力操作部９の操作（タッチパネルの場合には、テロップの表示領域のタッチ操作）によって選択されると、ＳＴＥＰ１８に示すように、投稿情報表示制御部１５１による投稿情報表示処理部１２の制御により、選択されたテロップに該当する多数回再投稿情報に対する返信情報が携帯端末３側で表示され、この表示結果が車載器２の表示部２ａ上に反映される。
【００７８】
なお、図６における車載器２の表示画面は、あくまでも表示例であり、携帯端末３側の表示画面を、画像サイズやアスペクト比等の軽微な変更のみを行って、殆どそのままの画面構成で車載器２に表示させるようにしてもよい。
【００７９】
＜車載用通信サービス利用方法＞
次に、第２実施形態の車載用通信サービス利用システム１を適用した本発明に係る車載用通信サービス利用方法の第２実施形態について、図７を参照して説明する。
【００８０】
なお、図７の初期状態においては、車載アプリ実行部１８により、車載アプリが実行されて、その実行画面が車載器２の表示部２ａに表示されているものとする。
【００８１】
そして、初期状態から、まず、図７のステップ２１（ＳＴ２１）において、入力操作部９の操作によるＳＮＳアプリの起動を契機として、リスト表示処理部１７により、リスト登録部１６によって作成されたリストを、車載用通信サービス利用システム１の表示部に表示する。
【００８２】
次いで、ステップ２２（ＳＴ２２）において、投稿情報取得部１１により、ステップ２１（ＳＴ２１）において表示されたリストに対して、入力操作部９によるリスト項目の選択操作があったか否かを判定する。そして、ステップ２２（ＳＴ２２）において肯定的な判定結果が得られた場合には、ステップ２３（ＳＴ２３）に進み、否定的な判定結果が得られた場合には、ステップ２２（ＳＴ２２）を繰り返す。
【００８３】
次いで、ステップ２３（ＳＴ２３）において、投稿情報取得部１１により、ＳＮＳサーバ４に対して、ステップ２２（ＳＴ２２）において選択されたリスト項目に該当する閲覧先ユーザの投稿情報のアドレスを指定した当該投稿情報の要求を行う。
【００８４】
次いで、ステップ２４（ＳＴ２４）において、特定投稿情報抽出部１４により、ステップ２３（ＳＴ２３）における要求に応答したＳＮＳサーバ４からの閲覧先ユーザの投稿情報の提供があったか否かを判定する。そして、ステップ２４（ＳＴ２４）において肯定的な判定結果が得られた場合には、ステップ２５（ＳＴ２５）に進み、否定的な判定結果が得られた場合には、ステップ２４（ＳＴ２４）を繰り返す。
【００８５】
次いで、ステップ２５（ＳＴ２５）において、特定投稿情報抽出部１４により、ＳＮＳサーバ４から提供された閲覧先ユーザの投稿情報に対応付けられた再投稿回数情報に基づいて、多数回再投稿情報の抽出を行う。
【００８６】
次いで、ステップ２６（ＳＴ２６）において、投稿情報表示制御部１５１により、ステップ２５（ＳＴ２５）において抽出された多数回再投稿情報が１件以上存在するか否かを判定する。そして、ステップ２６（ＳＴ２６）において肯定的な判定結果が得られた場合には、ステップ２７（ＳＴ２７）に進み、否定的な判定結果が得られた場合には、処理を終了する。
【００８７】
次いで、ステップ２７（ＳＴ２７）において、投稿情報表示制御部１５１の制御の下で、投稿情報表示処理部１２により、ステップ２５（ＳＴ２５）において抽出された多数回再投稿情報を、入力操作部９によって選択可能な状態のテロップとして、車載器２の表示部２ａに表示されている車載アプリの実行画面上に１件ずつ順次表示する。
【００８８】
次いで、ステップ２８（ＳＴ２８）において、投稿情報表示制御部１５１により、ステップ２７（ＳＴ２７）において表示されたテロップの選択が行われたか否かを判定する。そして、ステップ２８（ＳＴ２８）において肯定的な判定結果が得られた場合には、ステップ２９（ＳＴ２９）に進み、否定的な判定結果が得られた場合には、ステップ３０（ＳＴ３０）に進む。
【００８９】
ここで、ステップ２９（ＳＴ２９）に進んだ場合には、ステップ２９（ＳＴ２９）において、投稿情報表示制御部１５１の制御の下で、投稿情報表示処理部１２により、選択されたテロップに該当する多数回再投稿情報に対する返信情報を車載器２の表示部２ａに表示して、処理を終了する。
【００９０】
一方、ステップ３０（ＳＴ３０）に進んだ場合には、ステップ３０（ＳＴ３０）において、全ての多数回再投稿情報のテロップ表示が完了したか否かを判定する。そして、ステップ３０（ＳＴ３０）において肯定的な判定結果が得られた場合には、処理を終了し、否定的な判定結果が得られた場合には、ステップ２８（ＳＴ２８）に戻る。
【００９１】
以上述べたように、本実施形態によれば、第１実施形態の効果に加えて、更に、多数回再投稿情報の表示を、表示スペースを大きくとらないテロップの順次表示によって実現することによって、ＳＮＳを車載アプリの利用時においても有効に利用することができる。また、多数回再投稿情報の表示の切り替え等の特別な操作負担をともなわないので、利便性および安全性をさらに向上させることができる。さらに、本機ユーザが特に興味を持った多数回再投稿情報については、返信情報をユーザに通知することができるので、利便性をさらに向上させることができる。さらにまた、閲覧登録している投稿情報を、ＳＮＳサーバ４への取得要求の段階でリストの中から絞り込むことができるので、本機ユーザの嗜好性を反映したより有用性が高い多数回再投稿情報を本機ユーザに通知することができる。
【００９２】
なお、本発明は、前述した実施の形態に限定されるものではなく、本発明の特徴を損なわない限度において種々変更することができる。
【００９３】
例えば、本発明は、フェイスブック（Facebook）等のツイッター以外のＳＮＳに適用してもよい。フェイスブックに適用する場合には、再投稿の回数として、シェア(Share)の回数を適用すればよい。シェアにおいては、本機ユーザのウォールに、閲覧先ユーザの投稿情報を掲載することができ、この情報は、サーバによって被閲覧先ユーザのニュースフィールドにも掲載されるので、リツイートと同様の作用（拡散）を奏することができる。
【００９４】
また、前述したテロップの順次表示は、一巡した後は繰り返し行うようにしてもよい。
【００９５】
さらに、車速パルス等に基づいて自車の停止状態を検知する検知手段を設けた上で、特定投稿情報通知部１５が、当該検知手段による当該停止状態の検知が行われている状態（タイミング）において、多数回再投稿情報の通知を行うように構成してもよい。
【００９６】
この場合に、投稿情報取得部１１による閲覧先ユーザの投稿情報の要求または特定投稿情報抽出部１４による多数回再投稿情報の抽出の段階から、前記検知手段による前記停止状態の検知を前提条件としてもよいし、または、特定投稿情報抽出部１４による多数回再投稿情報の抽出の後、特定投稿情報通知部１５による当該多数回再投稿情報の通知の段階において、前記検知手段による前記停止状態の検知を前提条件としてもよい。
【符号の説明】
【００９７】
１  車載用通信サービス利用システム
２  車載器
２ａ  表示部
４  ＳＮＳサーバ
１１  投稿情報取得部
１２  投稿情報表示処理部
１４  特定投稿情報抽出部
１５  特定投稿情報通知部
【図１】
0005843197.tif 000002
【図２】
0005843197.tif 000003
【図３】
0005843197.tif 000004
【図４】
0005843197.tif 000005
【図５】
0005843197.tif 000006
【図７】
0005843197.tif 000007
【図６】
0005843197.tif 000008